(57)【特許請求の範囲】
【請求項１】
プリンター装置において移動する面からコンタミネーションを除去するウェブクリーニング装置（２０）であって、
長軸方向に延伸し、かつ遠心方向に繰り出し可能とされたウェブクリーニング布（２５）のコイル（２２）と；
該コイル（２２）を内部に収容するための収容構造（３６）と；
該収容構造（３６）から離間して配置された巻取スプール又はボビン（２６）と；
を備え、
前記収容構造（３６）が、
前記コイル（２２）の最外周が接触している内面と；
前記ウェブクリーニング布（２５）を繰り出すための繰出開口部（３１）と；
前記繰出開口部（３１）に形成されたリップ部（３４ｂ）と；
該リップ部（３４ｂ）に連設され、繰り出される前記ウェブクリーニング布（２５）と摺接される外面と；
を備え、
前記ウェブクリーニング布（２５）は、前記リップ部（３４ｂ）で鋭角に折り返され、かつ前記外面と摺接されつつ前記巻取スプール又はボビン（２６）に巻き取られ、
これにより、前記ウェブクリーニング布（２５）が繰り出されるにしたがって、前記コイル（２２）に対し、前記繰出開口部（３１）へと向かう力が働かないように構成された、
ウェブクリーニング装置。
【請求項２】
プリンター装置において移動する面からコンタミネーションを除去するウェブクリーニング布（２５）の使用方法であって、
前記ウェブクリーニング布（２５）のコイル（２２）を含む繰出スプール又はボビン（２２）を、前記コイル（２２）の最外周が接触している内面と、前記ウェブクリーニング布（２５）を繰り出すための繰出開口部（３１）と、前記繰出開口部（３１）に形成されたリップ部（３４ｂ）と、該リップ部（３４ｂ）に連設され、繰り出される前記ウェブクリーニング布（２５）と摺接される外面と、を備えた収容構造（３６）に収容する段階と；
前記ウェブクリーニング布（２５）を、前記リップ部（３４ｂ）で鋭角に折り返して前進させることによって、前記収容構造（３６）から前記ウェブクリーニング布（２５）を繰り出す段階と；
折り返した前記ウェブクリーニング布（２５）を、前記外面でガイドかつ摺接させつつ、前記収容構造（３６）から離間して配置された巻取スプール又はボビン（２６）へ前進させる段階と；
を備えたウェブクリーニング布の使用方法。
【請求項３】
プリンターにおける移動する面からコンタミネーションを除去する製品（２０）であって、
ウェブクリーニング布（２５）のコイル（２２）を含む繰出スプール又はボビン（２２）を内部に収容するための収容構造（３６）と；
該収容構造（３６）から離間して配置され、移動する面からコンタミネーションを除去する際に使用した後にウェブクリーニング布を集める巻取スプール又はボビン（２６）と；
を備えた製品（２０）において、
前記収容構造（３６）が、
前記コイル（２２）の最外周が接触している内面と；
前記ウェブクリーニング布（２５）を繰り出すための繰出開口部（３１）と；
前記繰出開口部（３１）に形成されたリップ構造（３４ｂ）であって、前記収容構造（３６）から前記ウェブクリーニング布（２５）を繰り出す際に、該ウェブクリーニング布（２５）を鋭角に折り返しながら前進させるためのリップ構造（３４ｂ）と；
該リップ構造（３４ｂ）に連設され、繰り出される前記ウェブクリーニング布（２５）をガイドかつ摺接させる外面と；
を備えたプリンターにおける移動する面からコンタミネーションを除去する製品。
【発明の詳細な説明】
【０００１】
【発明の属する技術分野】
本発明は一般に、電子写真式複写装置のような印刷機において移動する面からのコンタミネーションを除去するウェブクリーニング装置に関するものである。本発明は、ドラム又はベルトのようなものにおける移動する面からコンタミネーションを除去するために特に適している。
【０００２】
【従来の技術及び発明が解決しようとする課題】
米国特許第５，０７５，７３３号明細書に記載されているように、普通紙デスクトップ複写機が導入されて以来、イメージの軽量クリーニング用、又は他の移動部材用の使い捨てクリーニングウェブを使用することは周知である。典型的には、布又は紙のクリーニングウェブは、繰出スプール又はボビンに供給され、圧力ローラーによって処理され、巻取スプール又はボビンで巻き取られる。圧力ローラーは、ウェブの表面特性と圧力ローラーによって印加される圧力値とに従い、イメージ部材をクリーンにするためにイメージ部材に接触するバネによって弾性を受ける。巻取ローラーは、それぞれの独立したモーターによって、又は、そのローラーとイメージ形成装置上の主ドライブ、例えば、光伝導性ドラム用のドライブとの間に実質的に縮小されたドライブによって、周期的に角度を割り出される。他のウェブクリーニング装置が米国特許第４，１１０，０３５号明細書及び第４，５６８，１７４号明細書に開示されている。これら後者に開示された装置は、ウェブクリーニング装置に費用を付加するさらなるローラーの付加を含む繰出と巻取との間にウェブクリーナー用の経路を含んでいる。
【０００３】
ウェブクリーニング装置のコストを低減するために、図１に示したようなウェブクリーニング装置を使用することは周知である。ここで、図１では、繰出スプール又はボビン１２が回転可能に載置された芯１３を有せず、そのためＵ型構造１４内での移動が自由であるように、Ｕ型構造１４内に支持された布（fabric）クリーニングウェブ繰出スプール又はボビン１２が図示されている。示されているように、クリーニングウェブ材料１５は繰出スプール又はボビンに時計回りに巻き付けられており、そして、Ｕ型構造における開口１１から繰り出され、それによって、クリーニングウェブ材料は開口のリップ１１ａ及びＵ型構造の底部１４ａに対して曲げられ、Ｕ型構造の底部１４ａと巻取スプール又はボビン１６との間で張力が付与された状態となる。クリーニングウェブ材料は、適当なギア減速を介してモーター駆動される巻取スプール又はボビンに対して反時計回りで巻かれる。クリーニングウェブ１５は、トナーダスト又は紙ダストのようなコンタミネーション１８を除去するように清浄にされた移動面１７に対してＵ型構造の底部によってクリーニングウェブを押圧する。コンタミネーションは布とともに残り、ウェブが巻取スプール又はボビンにおいて巻かれるので、コンタミネーションはウェブの連続よりに包まれることによって除去される。図１に示したウェブクリーニング装置に関わる問題は、ウェブクリーニング材料の繰出は開口から出るときに、芯１３がＵ型構造の開口に移動して、布の一以上の巻き付け又はよりが同時に出てきて終いには結合（固着）してしまうことがあることである。この結合は、繰出スプール又はボビンからのウェブクリーニング材料のさらなる角度の割り当ての失敗、及び、永続的なダメージになりうる巻取スプール上での反りにつながる。
【０００４】
【課題を解決するための手段】
従って、先行技術における問題を克服する本発明の目的は、より信頼性が高くかつ低廉なウェブクリーニング装置を提供することである。本発明の好適な実施形態の記載からさらに明確になるように、本発明のこれらの目的かつ他の目的は、本発明の第１の態様に対応して、印刷装置において移動面からコンタミネーションを除去するウェブクリーニング装置によって実現される。ここで、このウェブクリーニング装置は、長軸方向に延伸するウェブ布のコイルを支持する内面とその内面に対して反対側に位置する外面とを有する入れ子構造と；入れ子構造の一部を形成しかつコイルの繰出端に近接して位置するリップ部材と；繰出コイルを有しかつ入れ子構造に位置するウェブ布と；を備え、そのウェブ布はリップ部材に巻かれかつ入れ子構造の外面に巻かれたコイルの繰出端部を形成する部位を有し、ウェブ布はコイルから離間した巻取スピンドルに巻かれ、コイルの繰出端部から入れ子構造の外面へのウェブ布の部位はウェブ布の経路へヘアピン型の曲がりを形成して、コイルの繰出端部からのウェブ布の繰出の間ウェブ布が結合してしまう傾向を低減されている。
【０００５】
本発明の第２の態様では、プリンター装置において移動する面からコンタミネーションを除去するウェブクリーニング布の使用方法であって、入れ子構造にウェブクリーニング布のコイルを含む繰出スプール又はボビンを支持する段階と、入れ子構造からウェブクリーニング布が出る際にヘアピンターンを介してウェブクリーニング布を前進させることによって、入れ子構造におけるコイルからウェブクリーニング布を繰り出す段階と、入れ子構造の外面でのヘアピンターンのすぐ後でウェブクリーニング布をガイドする段階であって、このときウェブクリーニング布が移動する面に係合する段階と、ウェブクリーニング布を巻取スプール又はボビンへ前進させる段階とを、備えている。
【０００６】
本発明の第３の態様では、顧客交換可能部材であって、第１の方向で芯に巻かれたウェブクリーニング布を有するウェブクリーニング布の繰出スプール又はボビンと；ウェブクリーニング布が取り付けられた巻取スプール又はボビンと；巻取スプール又はボビンの一部を形成しかつその一端に位置するバネ付与プランジャーと；巻取スプール又はボビンの第２の端部上に位置し、駆動部材を受けるノッチを含むキャップと；を備えている。
【０００７】
本発明の第４の態様では、プリンターにおける移動する面からコンタミネーションを除去する製品であって、ウェブクリーニング布のコイルを含む繰出スプール又はボビンを支持する入れ子構造と；コイルの繰出端部に近接して位置するリップ構造であって、入れ子構造からウェブクリーニング布を出す際にヘアピンを介してウェブクリーニング布の繰出端部を前進させるリップ構造と；ウェブクリーニング布が移動する面に係合するところでかつ入れ子構造の外面でのヘアピンターンの直後にウェブクリーニング布をガイドする面と；移動する面からコンタミネーションを除去する際に使用した後にウェブクリーニング布を集める巻取スプール又はボビンと；を備えている。
【０００８】
【発明の実施の形態】
本発明及びその目的さらにその利点は、以下の詳細な説明を読みかつ図面を参照すれば明らかになるだろう。
【０００９】
以下では、本発明を好適な実施形態に関連づけて説明するが、本発明がその実施形態に限定されることを意図していないことは理解されたい。逆に、添付した請求項によって規定された本発明の精神及び範囲を逸脱しない範囲で、全ての代替、変形、及び均等なものをカバーすることを意図している。
【００１０】
本発明のクリーニング装置が、エレクトログラフ式印刷機又は電子写真式印刷機のような、電子写真式印刷機で使用するのに特によく適合するが、以下の議論から、広範囲の装置での応用に対して非常によく適合し、ここに示した特別な実施形態には限定される必要はないことが明らかになるはずである。本発明のクリーニング装置は、イメージング又はイメージの伝送又はレシーバーシートの移送に使用する一つのベルトあるいは一つのドラム又は複数のベルトあるいはドラムの形の、光伝導性又はエレクトログラフ式の記録部材を含む印刷機において、移動する表面を清浄化するために使用してもよい。
【００１１】
印刷機は周知なので、本発明は、この発明の一部を形成するものであってかつ本発明の説明に役に立つ特別な部分を参照して説明するので、ここで説明しない部分は従来技術で周知のものから選択されると理解されたい。
【００１２】
本発明は、この明細書に参考文献としてその内容を組み込んだ、出願人Tombs et alが１９９７年７月２５日に出願した米国特許第０８／９００，６９６号明細書で例示されたタイプの電子写真式複写装置のようなプリンター装置において特に使用される。Tombs et alの出願では、紙レシーバーシートがその上にマルチカラー像を形成するために一連のカラーステーションを介して移送（transfer）ステーションからステーションへと連続して移動するので、異なる色の静電トナー（electroscopic toner）を別々に蒸着するために備えた一連のカラーステーションモジュールとして電子写真式複写装置を開示している。移送ステーションを通して離散的な紙シートを連続して前へ送るために、紙シートを紙移送ベルト上に支持している。長い時間操作する間、紙移送ベルトの両面はその面上に静電的にトナー及び紙繊維又は他のコンタミネーションを引きつける。本発明のウェブクリーニング装置は、紙移送ベルトの裏面、すなわち、紙レシーバーシートを支持しないベルト面を清浄化するのに特に適している。
【００１３】
図２に、紙移送ベルト２７の内面２７ａからコンタミネーション２８ａをクリーニングできるようにされた本発明のウェブクリーニング装置２０を図示している。図からわかるように、ウェブ２５の形で、布の繰出スプール又はボビン２２が、図２で示したように反時計回りで芯２３を包んでいる。芯は、布上での抵抗に起因した過度な曲がりを避けるために、厚紙、又は、アルミニウムあるいはスチールのような強度の高い材料で形成してもよい。布は、ポリエステル、レイヨン、ナイロン、及び他の材料のようないくつかの材料のいずれか、又はそれらを合わせた材料から作ってもよい。布は破れに対して高い強度を有することが好ましいが、油、高めの圧力及び熱が存在するときにヒューズローラー（fuser roller）のクリーニングにその布を用いるという環境で使用するときを除いて、布は高い耐熱性を有する必要はない。布は、糊あるいはテープのようなものによって繰出芯に取り付けるか、又は、固く締めることによって取り付ける。布のコイル及び布が巻き付けられた繰出芯は繰出スプールあるいはボビンを備えている。繰出スプール又はボビン２２はＵ型入れ子部材又はＵ型構造３６に静止し、ウェブの布のコイルは芯２３に反時計回りに巻き付けられている。コイルが繰り出されたときの芯の布の外側層が、Ｕ型構造の開口３１を上部リップ部３４ａによって規定する構造の下部リップ部３４ｂに巻かれている。繰出スプール又はボビン２２は、Ｕ型構造又はＵ型入れ子部材に載置し、その端部で支持されていなく、そのため、Ｕ型構造に対して自由に移動し、かつ、布が繰出スプール又はボビン２２を繰り出すことができるように自由に回転する。布のウェブは、下部リップ部から延び、かつ、Ｕ型構造又は入れ子構造の外側底部３５に巻きつけられ、かつ、巻取スプール又はボビン２６の一部を形成する巻取スピンドル又は芯に取り付けた第２の端部を有する。後で述べるように、スプール又はボビンを駆動して反時計回りにクリーニングウェブを巻くために、巻取スプール又はボビン２６にモータドライブを備えている。ドライブを紙移送ウェブに伝達すると、モータードライブは平均１分あたり０．００４インチ（０．１０ｍｍ）、又はそれ以上で、好適にはそのレートの２倍で、クリーニングウェブの角度を割り出すように駆動される。例えば、特別なクリーニングウェブのオンタイム使用によってドライブのデューティーサイクルを角度割り出しモーターに調整するために規格を作らない限り、ウェブ材料が巻取ローラー上に蓄積するので、クリーニングウェブ角度割り出し速度はもちろん、巻取ローラーの直径ととも変化する。繰出及び巻取スプールの両方に対して同じ方向で巻かれたクリーニングウェブの布を有することによって、すなわち、図２で示したように、両方が反時計回りに巻かれ、あるいは、他の端部から見れば両方が時計回りに巻かれてもよい。明確な利点は、ウェブがＵ型開口の底部リップ部に沿って繰出スプールから繰り出されことができるようにすることによって得られる。底部リップ部３４ｂに対するウェブクリーニング布のシャープなヘアピンターン３４によって、繰出芯に対して、Ｕ型構造の開口へ移動する起因となりかつウェブ布の結合につながることがありうる意味のある力が軽減される。ここで使用されるように、下部リップ部に対する布の繰出部の巻きは、図２に示したように、ヘアピンターン、すなわち、比較的急角度で生じものであってかつ下部リップ部１１ａに対して布の繰出部の巻きがヘアピンとは言えない図１で示したものとは区別可能である経路運動のターンであると言えるものである。ウェブ布は、少なくとも０．０２インチ、好適には０．０６インチ以上の巻きによってクリーニングされるベルト面２７ａに係合している。図２で見られるように、前記底部３５に対して包まれたクリーニングウェブによって、底部３５は、小さい圧力のもとで紙移送ベルトの内側面に係合するように位置するように、Ｕ型構造はできている。クリーニングウェブがＵ型構造の底部外側部３５に対して包まれる位置であって、繰出スプールがＵ型構造の内側上の底部上に静止する位置の反対側の位置において、クリーニングウェブ２５は紙移送ベルトの面２７ａに係合することは図２からも明らかであろう。クリーニングウェブが、クリーニングされる表面２７ａの移動の方向に対して反対の方向に進むことが好ましい。紙移送ベルトとＵ型構造との間の巻きは、Ｕ型構造の曲率半径と、図示していないが、紙移送ベルトにも係合する他の構造の位置とによって決定される。
【００１４】
図３から図５を参照すると、Ｕ型構造は、プリンター装置から取り外し可能な第１の縦長金属アセンブリ３０の一部であることがわかる。第１のアセンブリは、巻取スプール又はボビン２６の端部を支持する穴あるいは開口を有する下向きフランジ３２を含んでいる。外側突出フランジ３７ａ及び３７ｂも、第２の縦長金属アセンブリ４０に形成したレールに沿って第１のアセンブリを移動するための支持ガイドとして作用する第１の金属アセンブリの両側に備えられている。第１及び第２の金属アセンブリはプリンター装置の前部から後部へ延びており、紙移送ベルト２７の移動は長軸方向を横切る方向、より好適には長軸に対して垂直方向である。第２のアセンブリ４０は第１のアセンブリ３０を支持するレール又はトラック４３ａ及び４３ｂを含んでいる。第３のアセンブリ５０は以下に記載するように第２のアセンブリ４０に固定され、かつ、ロックされたアセンブリはボルト５３，５４によって装置フレームの背面に取り付けられている。この第３のアセンブリ５０上には好ましくはＤＣの電気モーター５５が支持されているが、ＡＣモーターを用いてもよい。モーターの寿命を延ばすために定格電圧より低めでＤＣモーターを稼働するのが好ましい。クリーニングされる表面が移動している間電源がモーターに電力を供給することができるようにしたプリンター装置の論理制御ユニットによって制御される電源に、ＤＣモーターが接続されている。その替わりに、モーターを用いないで、機械的駆動装置をクリーニングされるベルト用の駆動装置とギアホイール５６ａとの間に備えてもよい。電気モーターのハウジングが、タイミングベルト５６ｂとギアケースの出力シャフトに接続された駆動プーリ（図示せず）とによってギアケース５６内のギアに回転可能に接続されたギアホイール５６ａに対する回転率を低減するためのギアを有するギアケース５６も含んでいてもよい。第３の金属アセンブリ５０は、第２のアセンブリの後ろ端を支持するために、第２のアセンブリの後ろ端で上部折り返しフランジ４６を受けるための開口５２を含んでいる。上部折り返しフランジ４６は、ボルト５３，５４を延長して取付けられる第３のアセンブリに備えられ、かつ互いに固定されたアセンブリ４０及び５０を装置の後部で装置のフレームに位置づけるスロット５１ａ，５１ｂに合う比較的広い垂直なスロット（図示せず）の一対を含んでいる。ボルト５３，５４は、上部折り返しフランジ４６の比較的広い垂直スロットを介して延びている。しかしながら、結合された又は固定されたアセンブリ４０及び５０を装置フレームに取り付ける前に、第２のアセンブリ４０を第３のアセンブリ５０に位置づけ固定するため、上部折り返しフランジ４６に付ける二個のＰＥＭ挿入部材（ボルト又はテーパーのついたガイドピンスクリュー、Ｐｅｎｎ Ｅｎｇｉｎｅｅｉｎｇ ａｎｄ Ｍａｎｕｆａｃｔｕｒｉｎｇ Ｃｏｒｐ．の商標である）５３ａ，５３ｂを備えている。このＰＥＭ挿入部材はアセンブリ５０の小さめのスロット（図示せず）に入り、二つのアセンブリ４０，５０を小ナットを介してこの小さめスロットに固定される。小ナットを締める前に、アセンブリ４０及び５０は、巻取スプールがギアホイール５６ａにかみ合う��う位置づけられることが保証されるように一列に並べられる。
【００１５】
プラスチックギアホイール５６ａは、前面に一体に鋳造された耳部５７を含んでいる。テーパーが形成されたガイドピン５８はアセンブリ５０に固定され、ギアホイール５６ａの中央開口を介して延びたシャフトを有する。ガイドピン５８はギアホイールに対して回転しない。しかしながら、ガイドピンはギアホイールの一部で、回転してもよい。テーパのあるガイドピンは、巻取スピンドルの後端に固定されたキャップを受けガイドするために用いられている。図１１ａ、図１１ｂ、図１１ｃにテーパのあるガイドピンの詳細を示した。図１１ａ及び図１１ｂからわかるように、テーパのあるガイドピンは、ギアホイール５６ａの開口内で延びるシャフト５８ａを含んでおり、また、テーパのあるガイドピンは、図５に示したように、巻取スプール又はボビン２６ａの後端に向かって延びている。巻取スプール又はボビン２６ａの後端にはキャップ２９を有し、図６に示したように、例えば、圧入結合によって互いに回転するように巻取スピンドル２６ａに固定されるような方法で取付られている。このキャップの詳細を図９ａ、図９ｂ、及び図１０に示す。キャップ２９の後ろに向いた部分は、第１のアセンブリ３０に形成された後部フランジ３３の開口あるいはアパーチャーを抜けて延びている。このキャップの最も後端の部分には円筒壁にスロット２９ａが形成されている。スロット２９ａ及び２９ｃは、ギアホイールの前面上の鋳造あるいは形成された耳部５７に結合するようになっている。ギアホイールに取り付けられた駆動装置は、巻取スピンドルとキャップとを駆動するために、耳部５７から駆動する。おおきな直径を提供するように、キャップの最も前部の部分上に延長フランジ部２９ｃを形成して、第１のアセンブリの後部フランジ３３の前面で停止するようにする。
【００１６】
第２のアセンブリの前端には、前面を向いた上部折り返しフランジ４１に複数のスロット４１ａ，４１ｂを含み、そのスロットを抜けるボルト４１ａ，４１ｂが装置フレーム（図示せず）の前面部に第２のアセンブリ４０を固定するために備えている。
【００１７】
すでに述べたように、第２のアセンブリ４０と第３のアセンブリ５０とは互いに組み付けられて、適切な配置に調整される。第３のアセンブリ５０は、電気モーター５５及びギアアセンブリ５６とタイミングベルト５６ｂ及びギアホイール５６ａとを含んでいる。第２のアセンブリ４０は、小ボルト５３ａ，５３ｂによって第３のアセンブリ５０に取り付けられる。第２のアセンブリと第３のアセンブリとを適切に一列に近い配置で互いに固定して、アセンブリ４０，５０を大きめのボルト５３，５４を用いて装置の後端で装置フレームに取付けている。
【００１８】
第２のアセンブリの前部フランジ４１は、上述のように、それぞれフランジ４１に形成されたスロット４１ａ，４１ｂを抜けて延びるボルト４２ａ，４２ｂを用いて前部装置フレームに取付ける。第１のアセンブリ３０がプリンター装置あるいはプリンター機の外側にあるときは、第１のアセンブリ３０は顧客が交換可能な部材を有する。図６を参照すると、顧客が交換可能な部材６０は繰出スプールあるいはボビンと巻取スプール又はボビンとを含んでいる。巻取スプール又はボビンは、巻取芯又はスピンドルの前端部で巻取芯に挿入されたプランジャー２６ｂと巻取芯又はスピンドルの後端部に挿入されたキャップ２９とを含んでいる。ウェブ布の各端部は巻取スプール及び繰出スプール又はボビンに取り付けられ、このようなスプールあるいはボビンと同じメーカーによって供給されている。例として、ウェブ布は、１平方ヤードあたり1.5オンスで35％のポリエステルブレンドを含む織られていないレーヨンであってもよい。布の端部は、ウェブ布が繰出スプールから引き出される際の層間剥離を防止するために、糊、（両面テープのような）テープ、あるい他の接着剤を用いて巻取スピンドルあるいは芯に取付られてもよい。ウェブ布の厚みの範囲は0.003インチから0.015インチまでである。布が厚いほど、同じ直径に対する繰出スプール上の巻き付け数が少なくなり、その結果、布の使用可能な長さが短くなり、使用寿命が短くなる。巻取及び繰出スピンドル又は芯はいずれも厚紙からできていてもよい。布上の障害物（drag）は巻取芯において布目曲がりを引き起こすので、巻取スプール芯は繰出スプール芯より強く作ってもよい。巻取スプールは、布のじゃま物に打ち勝つため、かつ、過度な布目曲がりを回避するために十分固いべきである。繰出スプールあるいはボビンは、Ｕ型構造に繰出スプール又はボビンを単に横たえることによって、Ｕ字型構造に載置してもよい。そのときに、布ウェブが繰り出され、下部唇部３４ｂの回りに巻き付けられ、Ｕ字型構造底部３５の下に運ばれるように、巻取スプールを位置づける。キャップ２９を有する巻取スプールの後端部は、後部フランジ３３の穴に位置する円筒壁２９ｂを有してもよい。すでに芯あるいはスピンドル２６ａ上に取付られたプランジャー２６ｂを有する巻取スプール又はボビンの前方部は、第１のアセンブリに形成された下方折り返しフランジ３２の穴に載置されている。バネを備えたプランジャー２６ｂは、スピンドル２６ａと同心でスピンドル２６ａ上に載置され、巻取スプール又はボビンの前端部のこの穴での移動を容易にしている。こうして、バネを備えたプランジャー２６ｂは、顧客が交換できる部材を第１のアセンブリに容易に取り付けられるようにし、かつ、巻取芯に力を加えてモーター駆動ギアホイール５６ａに結合した状態にする。こうして、巻取スピンドルは、フランジによる回転のために第１のアセンブリ上に取付られた２つの端部の各々を有する。第１のアセンブリは、それに取付られた顧客による交換可能な部材６０とともに、それぞれレール４３ａ，４３ｂに沿ってフランジ３７ａ、３７ｂを滑らせることによってプリンター装置内に導入し、かつ第２のアセンブリに取り付ける。こうして、巻取スプール及び繰出スプールあ��いはボビンを含む、顧客による交換可能な部材６０を有する第１のアセンブリ３０の取付及び取り外しは、図５の矢印で示した長軸方向において、第２のアセンブリのレールに沿って第１のアセンブリを移動することによって容易に行うことができる。第１のアセンブリを後方へ移動するときに、巻取スプール又はボビンのスピンドルの後端部に取り付けたキャップ２９はテーパーを形成されたピン５８上にガイドされる。巻取スプールの前方部は、巻取スプール又はボビンがギアホイール５６ａに回転するように接続されうように、ギアホイールの耳部５７上ののキャップ上のスロット２９ａをロックするために回転してもよい。第１のアセンブリ３０の前端部は、第１のアセンブリ上に取付られ、装置フレームにおけるアパーチャー（図示せず）内へプランジャーピン３８を結合することによって、装置の前面で装置フレームに固定されている。
【００１９】
こうして、電力をモーター５５に供給すると、ギアが駆動され、タイミングベルト５６ｂを動かし、ギアホイール５６ａを駆動し、巻取スプール２６を回転し又は角度割り出しされる。クリーニングされる輸送ベルトあるいは他の表面が移動する間、通常モーターのドライブを備える。Ｕ型構造の底部の形状は大きな曲率の半径を有し、紙移送ベルトを歪みを小さいままに維持する間、いくらかの紙移送ベルトの巻きがあるように配置される。好ましい曲率半径は１インチから３インチである。より大きな曲率はＵ型部材底部のウェブ布とのかみ合わせを弱め、かつ、紙移送ベルト上で作動する他の部材の位置に対する感度と垂直力とを低減する。紙移送ウェブによって巻きも増加されている。
【００２０】
大部分のウェブ布が使用されたときは、オペレーターに視覚的な支持を与えるように、ウェブ布繰出スプールの端部近傍のウェブ布上で、かつ（オペレーターの視界により近い）ウェブ布の前方端部に近いところに、赤ストライプが配置されてもよい。ウェブクリーナー布の交換も、クリーニング布の使用可能長さと角度割り出しのスピードあるいは時間とによって決めることができ、そのため、交換がプリンターソフトウェアによって指示された時間フレーム内で生ずることを正確に評価することができる。新しい布が取り付けられたときは、時間カウンターをリセットすることができる。
【００２１】
顧客による交換可能部材の組み込みの簡単化のために、繰出スプールあるいはボビンがＵ字型構造あるいは部材へはまるにすることは好ましいが、本発明は巻取芯及び繰出芯が回転するように支持されてもよいことを企図している。Ｕ字型構造は好ましいが、他の部材が巻取繰出スプール又はボビンの支持のために使用されること、及び、クリーニングウェブが清浄化のために巻かれているＵ字型構造の外面が示したものと異なっていてもよいことを企図している。
【００２２】
本発明は特に好適な実施形態を参照して詳細に説明したが、本発明の精神及び範囲内で変形や修正も可能であることを理解されたい。
【図面の簡単な説明】
【図１】   繰出及び巻取スプール又はボビンをそれぞれ有するウェブクリーニング装置の先行技術の概略構成図である。
【図２】   本発明によるウェブクリーニング装置の側面図である。
【図３】   図２のウェブクリーニング装置の前面の第１の斜視図である。
【図４】   図３と異なる視点からとった図２のウェブクリーニング装置の第２の斜視図である。
【図５】   図２及び図３の異なる視点からとった図２のウェブクリーニング装置の第３の斜視図である。
【図６】   図２のウェブクリーニング装置の顧客交換可能部材の概略構成背であって、繰出スプール又はボビンと巻取スプール又はボビンとそれら繰出及び巻取スプール又はボビンにつながったクリーニングウェブ布とを含むものである。
【図７】   図６の顧客交換可能部材の巻取スプール又はボビンの一部を形成する巻取スピンドルの正面図である。
【図８】   図７のスピンドルの後端部に取付けられた端部キャップの斜視図である。
【図９】   （ａ）図８の端部キャップの正面図である。（ａ）図８の端部キャップの平面図である。
【図１０】   図９（ｂ）の断面線Ａ−Ａでの断面図である。
【図１１】   （ａ）ウェブクリーニング装置を電子写真式複写装置のようなプリンターにはめ込んで支持させたときに、巻取スプール又はボビンの位置合わせ及び支持に使用する先細りガイド又はピンの平面図である。（ｂ）（ａ）の先細りガイド又はピンの側面図である。（ｃ）（ａ）の先細りガイド又はピンの正面である。
【符号の説明】
１４  Ｕ型構造
１４ａ  Ｕ型構造の底部
２０  ウェブクリーニング装置
２２  繰出スプール又はボビン
２３  芯
２５  クリーニングウェブ
２６  巻取スプール又はボビン
２６ａ  巻取スプールのスピンドル又は芯
２６ｂ  バネプランジャー
２８  コンタミネーション
２９  キャップ
３４  ヘアピンターン
３４ａ  上部リップ部材
３４ｂ  下部リップ部材
３６  Ｕ型入れ子構造
６０  顧客交換可能部材
【図１】
0004439743.tif 000002
【図２】
0004439743.tif 000003
【図３】
0004439743.tif 000004
【図４】
0004439743.tif 000005
【図５】
0004439743.tif 000006
【図６】
0004439743.tif 000007
【図７】
0004439743.tif 000008
【図８】
0004439743.tif 000009
【図９】
0004439743.tif 000010
【図１０】
0004439743.tif 000011
【図１１】
0004439743.tif 000012